(57)【要約】【課題】  医療機器の所在を正確に特定することが可能になる機器管理用電源接続装置及びそれを備えた医療機器管理システムを提供する。【解決手段】  機器管理用電源接続装置１は、各々の所定場所に設置された複数の電源コンセント５の各々の直近に取り付けられ、かつ電源コンセント５の設置場所情報を記憶したＲＦＩＤタグ６から、電源コンセント５の設置場所情報を読み取るＲＦＩＤタグリーダを内蔵した筺体２Ａと、所定の医療機器７の電源プラグ７３に差し込まれるプラグ受け４と、プラグ受け４と電気的に接続され、電源コンセント５へ差し込まれるプラグ（刃Ｔ１，Ｔ２，ＴＡ）とを備え、さらに、筺体２Ａ内に、無線通信を行う無線通信部と、医療機器７の識別情報を予め記憶しており、ＲＦＩＤタグリーダで読み取られた電源コンセント５の設置場所情報と医療機器７の識別情報とを無線通信部に送信させる制御部とが備えられている。【選択図】  図１
2015097689.tif 000002
【特許請求の範囲】
【請求項１】
各々の所定場所に設置された複数の電源コンセントの各々の直近に取り付けられ、かつ前記電源コンセントの設置場所情報を記憶した無線タグから、前記電源コンセントの設置場所情報を読み取るタグリーダと、
所定の医療機器の電源プラグに差し込まれるプラグ受けと、
前記プラグ受けと電気的に接続され、前記電源コンセントへ差し込まれる第１のプラグと、
無線通信を行う無線通信部と、
前記医療機器の識別情報を予め記憶しており、前記第１のプラグが前記電源コンセントに差し込まれているときに前記タグリーダで読み取られた前記電源コンセントの設置場所情報と前記医療機器の識別情報とを前記無線通信部に送信させる制御部と
を備えた機器管理用電源接続装置。
【請求項２】
前記電源コンセントから前記電源プラグへ流れる電流を検出する電流検出部をさらに備え、
前記制御部は、
前記電流検出部で検出される電流に基づいて、前記医療機器が動作中であるか否かを判定し、その判定結果を前記無線通信部に送信させるように構成された、
請求項１に記載の機器管理用電源接続装置。
【請求項３】
前記プラグ受けと前記第１のプラグとがケーブルで接続され、
前記第１のプラグを支持する筐体内に、前記タグリーダと前記電流検出部と前記制御部と前記無線通信部とが設けられた、
請求項２に記載の機器管理用電源接続装置。
【請求項４】
前記筐体内に、前記第１のプラグが前記電源コンセントに差し込まれているときに前記第１のプラグと前記ケーブルとの間を接続する前記筐体内部の配線に供給される交流電力を直流電力に変換し、この直流電力を前記タグリーダと前記電流検出部と前記無線通信部と前記制御部とへ供給する電源回路が設けられた、
請求項３に記載の機器管理用電源接続装置。
【請求項５】
各々の所定場所に設置された複数の電源コンセントの各々の直近に取り付けられ、かつ前記電源コンセントの設置場所情報を記憶した無線タグと、
請求項１〜４のいずれかに記載の機器管理用電源接続装置と、
前記機器管理用電源接続装置の前記無線通信部から送信される情報を取得し、取得した前記電源コンセントの設置場所情報と前記医療機器の識別情報とに基づいて前記医療機器の機器名及びその所在を画面に表示する情報処理装置と
を備えた医療機器管理システム。
【発明の詳細な説明】
【技術分野】
【０００１】
本発明は、病院内等の医療機器の所在を管理するための機器管理用電源接続装置及びそれを備えた医療機器管理システムに関する。
【背景技術】
【０００２】
医療現場における医療機器は、動作・機能品質維持のため、定期的に点検を行い、常に状態を把握する必要がある。
【０００３】
また、可搬型の医療機器では、各々の医療機器の正確な所在を把握するために、どの部屋で、どの患者に使用されているか等の所在管理が人手によってなされているのが一般的であり、医療従事者の負担は大きなものである。
【０００４】
特許文献１には、医療機器の所在管理を効率的に行うための医療機器管理システムが開示されている。このシステムでは、医療機器に装着され、固有のタグＩＤデータを無線によって送信するアクティブ型ＲＦＩＤタグと、アクティブ型ＲＦＩＤタグから送信されたデータを受信すると共に、データ受信時における電波強度を計測し、アクティブ型ＲＦＩＤタグからの受信データと、計測された電波強度データと、固有の中継機ＩＤデータとを転送する中継機と、中継機から転送されたデータを収集し、収集されたデータに基づいて医療機器の位置（存在場所）を解析する情報処理装置とを備えている。
【先行技術文献】
【特許文献】
【０００５】
【特許文献１】特開２０１２−２７６２８号公報
【発明の概要】
【発明が解決しようとする課題】
【０００６】
上記特許文献１の開示技術では、中継機におけるアクティブ型ＲＦＩＤタグからのデータ受信時における電波強度に基づいて、アクティブ型ＲＦＩＤタグに最も近い中継機の存在場所をそのアクティブ型ＲＦＩＤタグが装着された医療機器の存在場所と判断するようにしている。すなわち、ある医療機器から最も近い中継機の存在場所を特定することはできるが、その医療機器の存在場所を正確に特定することはできない。
【０００７】
本発明は上記のような課題を解決するためになされたもので、医療従事者による医療機器の所在管理の負担を軽減し、医療機器の所在（存在場所）を正確に特定することが可能になる機器管理用電源接続装置及びそれを備えた医療機器管理システムを提供することを目的としている。
【課題を解決するための手段】
【０００８】
上記目的を達成するために、本発明のある形態に係る機器管理用電源接続装置は、各々の所定場所に設置された複数の電源コンセントの各々の直近に取り付けられ、かつ前記電源コンセントの設置場所情報を記憶した無線タグから、前記電源コンセントの設置場所情報を読み取るタグリーダと、所定の医療機器の電源プラグに差し込まれるプラグ受けと、前記プラグ受けと電気的に接続され、前記電源コンセントへ差し込まれる第１のプラグと、無線通信を行う無線通信部と、前記医療機器の識別情報を予め記憶しており、前記第１のプラグが前記電源コンセントに差し込まれているときに前記タグリーダで読み取られた前記電源コンセントの設置場所情報と前記医療機器の識別情報とを前記無線通信部に送信させる制御部とを備えている。
【０００９】
この構成によれば、各々の電源コンセントの直近に電源コンセントの設置場所情報を記憶した無線タグを予め取り付けておき、各医療機器の電源プラグにプラグ受けを予め接続しておけば、第１のプラグを電源コンセントに差し込むことにより、制御部が、タグリーダで読み取られた電源コンセントの設置場所情報と、予め記憶している医療機器の識別情報とを無線通信部から外部（例えば情報処理装置）へ送信させることができる。そして、この情報を取得した情報処理装置が、電源コンセントの設置場所情報と医療機器の識別情報とに基づいて医療機器の機器名とその所在を画面に表示することにより、医療従事者による医療機器の所在管理の負担を軽減し、医療機器の所在を正確に特定することができる。
【００１０】
また、前記電源コンセントから前記電源プラグへ流れる電流を検出する電流検出部をさらに備え、前記制御部は、前記電流検出部で検出される電流に基づいて、前記医療機器が動作中であるか否かを判定し、その判定結果を前記無線通信部に送信させるように構成されていてもよい。
【００１１】
この構成によれば、医療機器の所在を正確に特定することができるとともに、その医療機器の動作状態（使用状態）も把握することができる。
【００１２】
また、前記プラグ受けと前記第１のプラグとがケーブルで接続され、前記第１のプラグを支持する筐体内に、前記タグリーダと前記電流検出部と前記制御部と前記無線通信部とが設けられていてもよい。
【００１３】
この構成によれば、ケーブルに接続されたプラグ受けに医療機器の電源プラグが接続されるので、電源コンセントに接続される部分（言い換えれば電源コンセントに支持される部分）の寸法及び重量が小さくなるため、電源コンセントによる支持状態をより安定させることができる。
【００１４】
また、前記筐体内に、前記第１のプラグが前記電源コンセントに差し込まれているときに前記第１のプラグと前記ケーブルとの間を接続する前記筐体内部の配線に供給される交流電力を直流電力に変換し、この直流電力を前記タグリーダと前記電流検出部と前記無線通信部と前記制御部とへ供給する電源回路が設けられていてもよい。
【００１５】
この構成によれば、機器管理用電源接続装置のための電源（電池等）を別途設ける必要がない。
【００１６】
また、本発明のある形態に係る医療機器管理システムは、各々の所定場所に設置された複数の電源コンセントの各々の直近に取り付けられ、かつ前記電源コンセントの設置場所情報を記憶した無線タグと、上記の機器管理用電源接続装置と、前記機器管理用電源接続装置の前記無線通信部から送信される情報を取得し、取得した前記電源コンセントの設置場所情報と前記医療機器の識別情報とに基づいて前記医療機器の機器名及びその所在を画面に表示する情報処理装置とを備えている。
【００１７】
この構成によれば、情報処理装置が、機器管理用電源接続装置から送信された電源コンセントの設置場所情報と医療機器の識別情報とに基づいて医療機器の機器名とその所在を画面に表示することにより、医療従事者による医療機器の所在管理の負担を軽減し、医療機器の所在を正確に特定することができる。
【発明の効果】
【００１８】
本発明は、以上に説明した構成を有し、医療従事者による医療機器の所在管理の負担を軽減し、医療機器の所在を正確に特定することが可能になる機器管理用電源接続装置及びそれを備えた医療機器管理システムを提供することができるという効果を奏する。
【図面の簡単な説明】
【００１９】
【図１】本発明の実施形態の機器管理用電源接続装置の使用時における外観の一例を示す図である。
【図２】本発明の実施形態の機器管理用電源接続装置の内部構成の一例及び医療機器管理システムの一例を示すブロック図である。
【発明を実施するための形態】
【００２０】
以下、本発明の好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００２１】
（実施形態）
図１は、本発明の実施形態の機器管理用電源接続装置の使用時における外観の一例を示す図である。図２は、同実施形態の機器管理用電源接続装置の内部構成の一例及び医療機器管理システムの一例を示すブロック図である。
【００２２】
本実施形態において管理対象となる医療機器は、人工呼吸器、輸液ポンプ、生体情報モニタ及び人工透析装置などの、電源を必要とする可搬型（持ち運び可能または移動可能）の医療機器であり、病院内において複数（多数）存在している。このような医療機器の一例として図１に示された医療機器７は、機器本体７１と、機器本体７１に接続された電源ケーブル７２及び電源プラグ７３とを備えている。
【００２３】
まず、医療機器７が、病室内の所定の架台（図示せず）上に置かれて、電源コンセント５から電力供給される場合について説明する。この場合、図１で想像線（二点鎖線）で示されている、タグ情報読み取り送信装置４２を備えた保管棚４１は無いものとする。
【００２４】
本実施形態の機器管理用電源接続装置１（以下、「電源接続装置１」と略す）は、医療機器７の電源プラグ７３に取付けられ、主要部内蔵差込プラグ部２と接続ケーブル３とプラグ受け４とで構成されている。主要部内蔵差込プラグ部２には、電源コンセント５に差し込まれるプラグの刃Ｔ１，Ｔ２，ＴＡが設けられている。２つの刃Ｔ１，Ｔ２の一方がＡＣ（Ｌ）用の刃であり、他方がＡＣ（Ｎ）用の刃である。また、刃ＴＡは、ＦＧ（接地）用の刃である。これらの刃Ｔ１，Ｔ２，ＴＡは、交流（例えばＡＣ１００Ｖ）の電源コンセント５に差し込まれる。電源コンセント５は、例えば、病院の各ベッド（病床）の近傍に設けられている。
【００２５】
また、各々の電源コンセント５に対応して各々の電源コンセント５の直近には、パッシブ型のＲＦＩＤタグ（無線タグ）６が取り付けられている。このパッシブ型のＲＦＩＤタグ６は、貼り付けることによって容易に取り付けることができ、安価である。そして、各ＲＦＩＤタグ６には、それと対応する直近の電源コンセント５の設置場所の情報であるコンセント設置場所情報が記憶されている。このコンセント設置場所情報は、例えば、その電源コンセント５が設置されている病室番号と、同電源コンセント５を使用予定のベッド番号とからなる情報（例えば、ｘ号室のｙ番のベッド）である。
【００２６】
プラグ受け４には、医療機器７の電源プラグ７３が差し込まれている。この電源プラグ７３とプラグ受け４とは、図示しない締結具等によって固定されていることが好ましい。すなわち、この電源接続装置１は、所定の医療機器７と１対１に対応して設けられる。なお、電源プラグ７３は、主要部内蔵差込プラグ部２の刃Ｔ１，Ｔ２，ＴＡと同様の３つの刃を備えている。これら３つの刃がプラグ受け４に差し込まれている。図１の円１００内には、電源プラグ７３が差し込まれる側から見たプラグ受け４を示している。
【００２７】
主要部内蔵差込プラグ部２は、３つの刃Ｔ１，Ｔ２，ＴＡと、それらを支持する筺体２Ａとを備えている。さらに筺体２Ａ内には、図２に示すように、接続配線Ｗ１，Ｗ２，ＷＡとＲＦＩＤタグリーダ２１と電流検出部２２と無線通信部２３と制御部２４と電源回路２５とを備えている。ここでは、筺体２Ａに支持された３つの刃Ｔ１，Ｔ２，ＴＡによって第１のプラグが構成されている。
【００２８】
接続配線Ｗ１，Ｗ２，ＷＡは、例えば、接続ケーブル３内部の導線３１，３２，３Ａが筺体２Ａ内に引き込まれた部分であり、その端部がプラグの刃Ｔ１，Ｔ２，ＴＡと接続されている。あるいは、接続配線Ｗ１，Ｗ２，ＷＡは、例えば、その一端がプラグの刃Ｔ１，Ｔ２，ＴＡと接続され、その他端が接続ケーブル３内部の導線３１，３２，３Ａと接続された構成でもよい。なお、プラグ受け４に医療機器７の電源プラグ７３が差し込まれていることにより、接続ケーブル３内部の導線３１，３２，３Ａは、それぞれ対応する電源プラグ７３の３つの刃と電気的に接続されている。
【００２９】
電源回路２５は、刃Ｔ１，Ｔ２，ＴＡが電源コンセント５に差し込まれているときに、電源コンセント５から供給される交流電力を直流電力に変換し、ＲＦＩＤタグリーダ２１と電流検出部２２と無線通信部２３と制御部２４とへ供給する。
【００３０】
ＲＦＩＤタグリーダ２１は、ＲＦＩＤタグ６に記憶されている情報を読み取り、制御部２４へ与える。
【００３１】
また、電流検出部２２は、接続配線Ｗ１，Ｗ２に流れる電流を検出し、その電流検出値を制御部２４へ与える。
【００３２】
無線通信部２３は、送信情報をＵＨＦ帯の無線信号として中継機１０へ送信する。
【００３３】
中継機１０では、各々の電源接続装置１から受信した送信情報を、ＬＡＮ（無線ＬＡＮあるいは有線ＬＡＮ）を経由して情報処理装置１２へ送信する。
【００３４】
制御部２４は、ＣＰＵ２４ａ及びメモリ２４ｂを有している。メモリ２４ｂは、ＣＰＵ２４ａの実行プログラム及び種々の情報を記憶している。
【００３５】
また、メモリ２４ｂには、この電源接続装置１が接続されている医療機器７を識別するための識別情報（例えば、各医療機器に予め付与されているシリアル番号であり、以下、「機器識別情報」という）が予め記憶されている。
【００３６】
この本実施形態における医療機器管理システムの一例は、病院内の複数の各々のベッド（病床）に対応して設けられている１つ以上の各々の電源コンセント５の直近に貼り付けられたＲＦＩＤタグ６と、各々の医療機器７の電源プラグ７３に接続された電源接続装置１と、各々の電源接続装置１から送信された送信情報を受信し、その情報をＬＡＮを経由して情報処理装置１２へ送信する１台以上の中継器１０と、情報処理装置１２とを備えている。
【００３７】
次に、この医療機器管理システムの動作の一例について説明する。
【００３８】
前述のように、電源接続装置１のプラグ受け４には、医療機器７の電源プラグ７３が差し込まれて固定されている。そして、主要部内蔵差込プラグ部２の刃Ｔ１，Ｔ２，ＴＡが電源コンセント５に差し込まれて主要部内蔵差込プラグ部２が電源コンセント５に接続されると、電源回路２５から各部（２１〜２４）へ直流電力が供給される。
【００３９】
すると、制御部２４では、ＲＦＩＤタグリーダ２１に、電源コンセント５の直近に貼付されたＲＦＩＤタグ６からコンセント設置場所情報を読み取らせて、その情報を取得する。さらに、制御部２４では、電流検出部２２から電流検出値を取得し、その電流検出値を所定の閾値と比較して、医療機器７が動作中である（電流検出値≧閾値）か、そうでない（電流検出値＜閾値）かを判定し、その判定結果の情報である機器動作状態情報を生成する。
【００４０】
そして、制御部２４は、予め記憶している機器識別情報と、コンセント設置場所情報と、機器動作状態情報とからなる、機器管理情報を、無線通信部２３に対し中継機１０へ送信させる。
【００４１】
さらに、上記動作と同じ動作を、制御部２４は、主要部内蔵差込プラグ部２が電源コンセント５に接続されている間、所定の周期（例えば１分）で繰り返し行う。したがって、機器識別情報とコンセント設置場所情報と機器動作状態情報とからなる機器管理情報が、所定の周期で無線通信部２３から中継機１０へ送信される。
【００４２】
中継機１０では、上記の機器管理情報を受信するたびに、その情報をＬＡＮを経由して情報処理装置１２へ送信する。ここで、例えば、中継機１０は病院内に複数設けられており、各中継機１０は、所定の通信エリア内に存在する各医療機器７に接続された電源接続装置１の無線通信部２３から送信される機器管理情報を受信し、その情報をＬＡＮを介して情報処理装置１２へ送信するようになっている。
【００４３】
情報処理装置１２は、コンピュータと、それに接続された表示装置及び入力装置等を備えている。情報処理装置１２では、中継機１０から送信された機器管理情報（機器識別情報とコンセント設置場所情報と機器動作状態情報）に基づいて、医療機器７の機器名と、その医療機器７の所在と、その動作状態（動作中、動作停止中）とを、その表示装置の画面に機器管理表として表示することができる。
【００４４】
ここで、情報処理装置１２は、各医療機器について、機器識別情報（各医療機器に予め付与されているシリアル番号）と、機器名（例えば、「輸液ポンプ」あるいは同種の医療機器が複数ある場合には「ｎ番の輸液ポンプ」等）とを対応させたテーブルを予め記憶している。そして、このテーブルと受信した機器識別情報とに基づいて、医療機器７の機器名を導き出す。また、その医療機器７の所在（存在場所）には、コンセント設置場所情報を用い、その医療機器７の動作状態は、機器動作状態情報から判明する。
【００４５】
このように、情報処理装置１２は、各々の医療機器について、その機器名（例えば、ｎ番の輸液ポンプ）と、機器の所在（例えば、ｘ号室のｙ番のベッド）と、動作状態とを対応させて機器管理テーブルに記憶するとともに、この機器管理テーブルを機器管理表にして表示装置の画面に表示するようにしている。これにより、各医療機器がどこにあり、いま使用中（動作中）か否かを容易に知ることができる。
【００４６】
このように本実施形態では、各々の電源コンセント５の直近にコンセント設置場所情報を記憶したＲＦＩＤタグ６を予め貼り付けておき、各医療機器７の電源プラグ７３に電源接続装置１を予め接続しておけば、その電源接続装置１を電源コンセント５に差し込むことにより、医療機器７へ電源コンセント５から電力を供給できる。そして、電源接続装置１が、接続された医療機器７の機器識別情報を予め記憶しており、ＲＦＩＤタグ６からコンセント設置場所情報を読みだし、機器識別情報とコンセント設置場所情報とを送信し、それらの情報を情報処理装置１２が取得して、医療機器７の機器名とその所在を画面に表示することができるので、医療従事者による医療機器７の所在管理の負担を軽減し、医療機器７の所在を正確に特定することができる。また、医療機器７の改造等の必要もない。なお、医療機器７を、その電源プラグ７３に代えて、電源ケーブル７２に主要部内蔵差込プラグ部２が直接接続された構成とすることも技術的には可能である。
【００４７】
また、電源接続装置１が、接続された医療機器７の動作状態を判定し、その判定結果である機器動作状態情報を、機器識別情報及びコンセント設置場所情報とともに送信し、それらの情報を情報処理装置１２の画面に表示させることにより、医療機器７の動作状態をも容易に知ることができる。
【００４８】
なお、機器動作状態情報を、動作中と動作停止中との２つの状態のいずれかを示す情報としたが、制御部２４が、電流検出部２２から取得した電流検出値を比較する閾値として、第１閾値と、第１閾値よりも大きい第２閾値との２つの閾値を記憶しておき、電流検出部２２からの電流検出値が、第１閾値未満のときには電源オフ状態と判定し、第１閾値以上であり、かつ第２閾値未満のときには、待機状態と判定し、第２閾値以上のときには動作中と判定し、これらの判定結果を機器動作状態情報とするようにしてもよい。
【００４９】
次に、医療機器７がＭＥ（Medical engineering）室に保管されている場合について説明する。この場合、図１において、タグ情報読み取り送信装置４２が設けられた保管棚４１が存在するものとする。さらに、電源コンセント５が無い、あるいは電源コンセント５に主要部内蔵差込プラグ部２が接続されないものとする。ＭＥ室では、病院内で使用する医療機器を対象に保守・点検、供給管理等が行われる。
【００５０】
図１に示すように、医療機器７の底部には、安価なパッシブ型のＲＦＩＤタグ８が貼り付けられている。このＲＦＩＤタグ８には、前述の機器識別情報が記憶されている。
【００５１】
そして、医療機器７は、ＭＥ室の保管棚４１に載置されて保管される。ここで、保管棚４１は、複数の医療機器７を載置することができ、各々の医療機器が載置される所定場所にタグ情報読み取り送信装置４２が埋め込まれている。
【００５２】
タグ情報読み取り送信装置４２は、ＲＦＩＤタグリーダ及び通信部と、それらを制御する制御部等を備えている。制御部には、タグ情報読み取り送信装置４２が埋め込まれている場所を示す情報である保管位置情報（例えば、ＭＥ室の保管棚、あるいはＭＥ室の保管棚のｚ番目の保管位置など）が予め記憶されている。このタグ情報読み取り送信装置４２では、ＲＦＩＤタグリーダによって医療機器７の底部に貼られているＲＦＩＤタグ８から機器識別情報を読み出す。そして、制御部は、読み出された機器識別情報と、記憶している保管位置情報とを、通信部に対し中継機１０へ送信させる。中継機１０では、受信した情報を、ＬＡＮ（無線ＬＡＮあるいは有線ＬＡＮ）を経由して情報処理装置１２へ送信する。なお、中継機１０を介さずに、通信部から直接、ＬＡＮ（無線ＬＡＮあるいは有線ＬＡＮ）を経由して情報処理装置１２へ、機器識別情報及び保管位置情報を送信するように構成してもよい。
【００５３】
情報処理装置１２は、機器識別情報に基づいて機器名を導き出し、保管位置情報を機器の所在として用い、機器管理テーブルに記憶するとともに、この機器管理テーブルを機器管理表にして表示装置の画面に表示するようにしている。この場合、機器管理テーブル及び機器管理表では、機器の所在を、ＭＥ室の保管棚あるいはＭＥ室の保管棚のｚ番目の保管位置等とし、機器の動作状態は、動作停止中、電源オフ状態あるいは保管中とすればよい。これにより、ＭＥ室に保管されている医療機器についての情報（正確な所在）も容易に知ることができる。
【００５４】
なお、本実施形態の電源接続装置１では、主要部内蔵差込プラグ部２に接続ケーブル３を介してプラグ受け４を接続するようにしているが、接続ケーブル３を無くして、主要部内蔵差込プラグ部２とプラグ受け４とを一体的に構成することも可能である。但し、この場合、主要部内蔵差込プラグ部２とプラグ受け４とが一体化された全長が長くなるだけでなく、さらにプラグ受け４に医療機器７の電源プラグ７３が接続されているので、電源コンセント５に接続される部分（言い換えれば電源コンセント５に支持される部分）の寸法及び重量が大きくなる。そのため、電源コンセント５による電源接続装置１の支持状態をより安定させる上では、本実施形態の電源接続装置１のように、主要部内蔵差込プラグ部２に接続ケーブル３を介してプラグ受け４を接続するようにした方が好ましい。
【産業上の利用可能性】
【００５５】
本発明は、医療従事者による医療機器の所在管理の負担を軽減し、医療機器の所在を正確に特定することが可能になる機器管理用電源接続装置及びそれを備えた医療機器管理システム等として有用である。
【符号の説明】
【００５６】
１  機器管理用電源接続装置
２  主要部内蔵差込プラグ部
２Ａ  筺体
３  接続ケーブル
４  プラグ受け
７  医療機器
１２  情報処理装置
２１  ＲＦＩＤタグリーダ
２２  電流検出部
２３  無線通信部
２４  制御部
２５  電源回路
７３  電源プラグ
【図１】
2015097689.tif 000003
【図２】
2015097689.tif 000004